(57)【要約】【課題】広告を広告表示部において表示することにより売り上げを増加させることが可能な自動販売機を提供する。【解決手段】この自動販売機１０は、広告を画像および文字の少なくとも一方により表示する広告表示部１と、複数の商品を画像により表示する商品表示部２と、複数の商品のうち、広告に対応する広告側特徴情報（広告側キーワード）に関連する商品を、商品表示部２において強調して表示する制御を行う制御部３と、を備える。【選択図】図１
2020095522.tif 000002
【特許請求の範囲】
【請求項１】
広告を画像および文字の少なくとも一方により表示する広告表示部と、
複数の商品を画像により表示する商品表示部と、
前記複数の商品のうち、前記広告に対応する広告側特徴情報に関連する前記商品を、前記商品表示部において強調して表示する制御を行う制御部と、を備える、自動販売機。
【請求項２】
前記商品側特徴情報は、前記複数の商品の各々のデータに予め付加されている商品側キーワードを含み、
前記広告側特徴情報は、前記広告に対応する広告側キーワードを含み、
前記制御部は、予め前記商品のデータに付加された前記商品側キーワードの少なくとも一部が、前記広告側キーワードの少なくとも一部と一致する前記商品を、前記商品表示部において強調して表示する制御を行うように構成されている、請求項１に記載の自動販売機。
【請求項３】
前記広告側キーワードは、前記広告のデータに予め付加されており、
前記制御部は、予め前記商品のデータに付加された前記商品側キーワードの少なくとも一部が、予め前記広告のデータに付加された前記広告側キーワードの少なくとも一部と一致する前記商品を、前記商品表示部において強調して表示する制御を行うように構成されている、請求項２に記載の自動販売機。
【請求項４】
前記制御部は、前記広告の画像および文字の少なくとも一方自体から前記広告側キーワードを識別するとともに抽出し、予め前記商品のデータに付加された前記商品側キーワードの少なくとも一部が、抽出された前記広告側キーワードの少なくとも一部と一致する前記商品を、前記商品表示部において強調して表示する制御を行うように構成されている、請求項２または３に記載の自動販売機。
【請求項５】
前記制御部は、前記広告表示部に表示されている前記広告が異なる前記広告に変化することによって前記広告表示部に表示中の前記広告に対応する前記広告側特徴情報が変化する度に、前記商品表示部において強調して表示する前記商品を変化させるように構成されている、請求項１〜４のいずれか１項に記載の自動販売機。
【請求項６】
前記制御部は、前記広告に対応する前記広告側特徴情報に関連する前記商品を、前記商品表示部において拡大して表示することにより、前記商品表示部において強調して表示する制御を行うように構成されている、請求項１〜５のいずれか１項に記載の自動販売機。
【請求項７】
前記制御部は、前記広告に対応する前記広告側特徴情報に関連する前記商品の、前記商品表示部に表示される数を増加させることにより、前記広告側特徴情報に関連する前記商品を前記商品表示部において強調して表示する制御を行うように構成されている、請求項１〜６のいずれか１項に記載の自動販売機。
【請求項８】
広告を画像および文字の少なくとも一方により表示する広告表示部と、複数の商品を画像により表示する商品表示部と、を含む自動販売機と、
前記広告を前記自動販売機に送信する管理センタと、を備え、
前記自動販売機および前記管理センタのうちの少なくとも一方は、前記複数の商品のうち、前記広告に対応する広告側特徴情報に関連する前記商品を、前記商品表示部において強調して表示する制御を行うように構成されている、自動販売機システム。
【請求項９】
前記自動販売機および前記管理センタのうちの少なくとも一方は、前記広告に対応する前記広告側特徴情報と、前記自動販売機に対応する自動販売機側情報とに基づいて、前記広告を表示する前記自動販売機を選択するか、または、前記自動販売機の前記広告表示部に表示させる前記広告を選択する制御を行うように構成されている、請求項８に記載の自動販売機システム。
【請求項１０】
広告を画像および文字の少なくとも一方により表示する広告表示部を含む自動販売機と、
前記広告を前記自動販売機に送信する管理センタと、を備え、
前記自動販売機および前記管理センタのうちの少なくとも一方は、前記広告に対応する広告側特徴情報と、前記自動販売機に対応する自動販売機側情報とに基づいて、前記広告を表示する前記自動販売機を選択するか、または、前記自動販売機の前記広告表示部に表示させる前記広告を選択する制御を行うように構成されている、自動販売機システム。
【請求項１１】
前記管理センタは、複数の前記広告側特徴情報を含む広告データベースと、複数の前記自動販売機側情報を含む自動販売機データベースとを含み、前記自動販売機データベースに含まれる一の前記自動販売機に対応する前記自動販売機側情報に基づいて、前記一の自動販売機の前記広告表示部に表示させる前記広告を前記広告データベースから検索するとともに、検索された前記広告を、前記一の自動販売機に送信する制御を行うように構成されている、請求項１０に記載の自動販売機システム。
【請求項１２】
前記広告側特徴情報は、前記広告毎に対応した広告側キーワード、および、複数の前記広告に対応する分野を示す分野別キーワードのうちの少なくとも一方を含む、請求項１０または１１に記載の自動販売機システム。
【請求項１３】
前記自動販売機は、複数設けられており、
前記自動販売機側情報は、前記複数の自動販売機の各々に割り当てられた識別番号と、前記識別番号毎に管理された、前記自動販売機が設置されている場所の情報、前記自動販売機において販売されている商品の情報、前記商品の販売履歴、前記広告表示部において表示された前記広告の表示履歴、および、表示対象の前記広告を示す広告用キーワードのうちの少なくとも１つとを含む、請求項１０〜１２のいずれか１項に記載の自動販売機システム。
【発明の詳細な説明】
【技術分野】
【０００１】
この発明は、自動販売機および自動販売機システムに関し、特に、広告を表示する自動販売機および自動販売機システムに関する。
【背景技術】
【０００２】
従来、広告を表示する自動販売機および自動販売機システムが知られている（たとえば、特許文献１参照）。
【０００３】
上記特許文献１には、商品の見本を展示する電照室と、広告などを表示するディスプレイ装置とを備える自動販売機が開示されている。
【先行技術文献】
【特許文献】
【０００４】
【特許文献１】特開平９−２７００６１号公報
【発明の概要】
【発明が解決しようとする課題】
【０００５】
しかしながら、上記特許文献１に記載の自動販売機では、電照室に展示されている商品の見本は変化しないため、広告と関連のある商品が目立ち難く、上記広告と関連のある商品に対する購入者の購買意欲を増大させ難い場合がある。
【０００６】
また、上記特許文献１に記載の自動販売機では、上記特許文献１には明記されていないが、ディスプレイにおいて流される広告がランダムに選択（配信）されるため、購入者の購買意欲を増加させるのに適切ではない広告が表示される場合があると考えられる。
【０００７】
これらの場合、広告を広告表示部において表示した場合でも自動販売機の売り上げが増加し難いという問題点がある。
【０００８】
この発明は、上記のような課題を解決するためになされたものであり、この発明の１つの目的は、広告を広告表示部において表示することにより売り上げを増加させることが可能な自動販売機および自動販売機システムを提供することである。
【課題を解決するための手段】
【０００９】
上記目的を達成するために、この発明の第１の局面による自動販売機は、広告を画像および文字の少なくとも一方により表示する広告表示部と、複数の商品を画像により表示する商品表示部と、複数の商品のうち、広告に対応する広告側特徴情報に関連する商品を、商品表示部において強調して表示する制御を行う制御部と、を備える。
【００１０】
この発明の第１の局面による自動販売機では、上記のように、広告に対応する広告側特徴情報に関連する商品が、商品表示部において強調して表示される。これにより、広告表示部に表示されている広告を見た購入者に対して、広告に対応する広告側特徴情報に関連する商品をアピールすることができる。その結果、上記購入者の、広告に対応する広告側特徴情報に関連する商品に対する購買意欲を増大させることができる。これにより、広告を広告表示部において表示することにより自動販売機の売り上げを増加させることができる。
【００１１】
上記第１の局面による自動販売機において、好ましくは、商品側特徴情報は、複数の商品の各々のデータに予め付加されている商品側キーワードを含み、広告側特徴情報は、広告に対応する広告側キーワードを含み、制御部は、予め商品のデータに付加された商品側キーワードの少なくとも一部が、広告側キーワードの少なくとも一部と一致する商品を、商品表示部において強調して表示する制御を行うように構成されている。このように構成すれば、商品側キーワードが商品のデータに予め付加されていることによって、商品のデータから商品側キーワードを識別して抽出する場合に比べて、制御部の制御負荷を軽減することができる。
【００１２】
この場合、好ましくは、広告側キーワードは、広告のデータに予め付加されており、制御部は、予め商品のデータに付加された商品側キーワードの少なくとも一部が、予め広告のデータに付加された広告側キーワードの少なくとも一部と一致する商品を、商品表示部において強調して表示する制御を行うように構成されている。このように構成すれば、広告側キーワードが広告のデータに予め付加されていることによって、広告のデータから広告側キーワードを識別して抽出する場合に比べて、制御部の制御負荷をより軽減することができる。
【００１３】
上記広告側特徴情報が広告側キーワードを含む自動販売機では、好ましくは、制御部は、広告の画像および文字の少なくとも一方自体から広告側キーワードを識別するとともに抽出し、予め商品のデータに付加された商品側キーワードの少なくとも一部が、抽出された広告側キーワードの少なくとも一部と一致する商品を、商品表示部において強調して表示する制御を行うように構成されている。このように構成すれば、広告側キーワードが広告のデータに予め付加されている場合と異なり、広告側キーワードを広告のデータに付加する手間がかからないので、広告のデータを作成する作業負担を軽減することができる。
【００１４】
上記第１の局面による自動販売機において、好ましくは、制御部は、広告表示部に表示されている広告が異なる広告に変化することによって広告表示部に表示中の広告に対応する広告側特徴情報が変化する度に、商品表示部において強調して表示する商品を変化させるように構成されている。このように構成すれば、広告に対応する広告側特徴情報に関連する商品を常時強調して表示することができる。
【００１５】
上記第１の局面による自動販売機において、好ましくは、制御部は、広告に対応する広告側特徴情報に関連する商品を、商品表示部において拡大して表示することにより、商品表示部において強調して表示する制御を行うように構成されている。このように構成すれば、広告に対応する広告側特徴情報に関連する商品を効果的に強調することができる。
【００１６】
上記第１の局面による自動販売機において、好ましくは、制御部は、広告に対応する広告側特徴情報に関連する商品の、商品表示部に表示される数を増加させることにより、広告側特徴情報に関連する商品を商品表示部において強調して表示する制御を行うように構成されている。このように構成すれば、広告に対応する広告側特徴情報に関連する商品を、画像の大きさを変化させずに強調することができる。
【００１７】
この発明の第２の局面による自動販売機システムは、広告を画像および文字の少なくとも一方により表示する広告表示部と、複数の商品を画像により表示する商品表示部と、を含む自動販売機と、広告を自動販売機に送信する管理センタと、を備え、自動販売機および管理センタのうちの少なくとも一方は、複数の商品のうち、広告に対応する広告側特徴情報に関連する商品を、商品表示部において強調して表示する制御を行うように構成されている。
【００１８】
この発明の第２の局面による自動販売機システムでは、上記のように、複数の商品のうち、広告に対応する広告側特徴情報に関連する商品が、商品表示部において強調して表示される。これにより、広告表示部に表示されている広告を見た購入者に対して、広告に対応する広告側特徴情報に関連する商品をアピールすることができる。その結果、上記購入者の、広告に対応する広告側特徴情報に関連する商品に対する購買意欲を増大させることができる。これにより、広告を広告表示部において表示することにより自動販売機の売り上げを増加させることが可能な自動販売機システムを提供することができる。
【００１９】
上記第２の局面による自動販売機システムにおいて、好ましくは、自動販売機および管理センタのうちの少なくとも一方は、広告に対応する広告側特徴情報と、自動販売機に対応する自動販売機側情報とに基づいて、広告を表示する自動販売機を選択するか、または、自動販売機の広告表示部に表示させる広告を選択する制御を行うように構成されている。このように構成すれば、広告側特徴情報と自動販売機側情報とに基づいて自動販売機または広告を選択する制御を行うことにより、広告を表示する自動販売機をランダムに選択するか、または、自動販売機の広告表示部に表示させる広告をランダムに選択する制御が行われる場合に比べて、購入者の購買意欲を増加させ易い広告を広告表示部に表示させる制御を容易に行うことができる。その結果、広告を広告表示部において表示することにより自動販売機の売り上げを増加させることが可能な自動販売機システムを提供することができる。
【００２０】
この発明の第３の局面による自動販売機システムでは、上記のように、広告を画像および文字の少なくとも一方により表示する広告表示部を含む自動販売機と、広告を自動販売機に送信する管理センタと、を備え、自動販売機および管理センタのうちの少なくとも一方は、広告に対応する広告側特徴情報と、自動販売機に対応する自動販売機側情報とに基づいて、広告を表示する自動販売機を選択するか、または、自動販売機の広告表示部に表示させる広告を選択する制御を行うように構成されている。
【００２１】
この発明の第３の局面による自動販売機システムでは、上記のように、広告側特徴情報と自動販売機側情報とに基づいて、広告を表示する自動販売機を選択するか、または、自動販売機の広告表示部に表示させる広告を選択する制御が行われる。これにより、広告側特徴情報と自動販売機側情報とに基づいて自動販売機または広告を選択する制御を行うことにより、広告を表示する自動販売機をランダムに選択するか、または、自動販売機の広告表示部に表示させる広告をランダムに選択する制御が行われる場合に比べて、購入者の購買意欲を増加させ易い広告を広告表示部に表示させる制御を容易に行うことができる。その結果、広告を広告表示部において表示することにより自動販売機の売り上げを増加させることが可能な自動販売機システムを提供することができる。
【００２２】
上記第３の局面による自動販売機システムにおいて、好ましくは、管理センタは、複数の広告側特徴情報を含む広告データベースと、複数の自動販売機側情報を含む自動販売機データベースとを含み、自動販売機データベースに含まれる一の自動販売機に対応する自動販売機側情報に基づいて、一の自動販売機の広告表示部に表示させる広告を広告データベースから検索するとともに、検索された広告を、一の自動販売機に送信する制御を行うように構成されている。このように構成すれば、管理センタは、自動販売機に対応する自動販売機側情報に基づいて、一の自動販売機において購入者の購買意欲を向上させる広告を広告データベースから検索する制御を行うことができる。その結果、検索された広告を一の自動販売機に配信することによって、一の自動販売機の売り上げを増加させることができる。また、管理センタにおいて検索および配信の処理が行われることにより、自動販売機の制御負担が増加するのを抑制することができる。
【００２３】
上記第３の局面による自動販売機システムにおいて、好ましくは、広告側特徴情報は、広告毎に対応した広告側キーワード、および、複数の広告に対応する分野を示す分野別キーワードのうちの少なくとも一方を含む。このように構成すれば、広告側キーワードおよび分野別キーワードのうちの少なくとも一方を用いることによって、自動販売機または広告を選択する際にキーワード検索を行うことができる。その結果、自動販売機または広告を選択する制御を容易に行うことができる。
【００２４】
上記第３の局面による自動販売機システムにおいて、好ましくは、自動販売機は、複数設けられており、自動販売機側情報は、複数の自動販売機の各々に割り当てられた識別番号と、識別番号毎に管理された、自動販売機が設置されている場所の情報、自動販売機において販売されている商品の情報、商品の販売履歴、広告表示部において表示された広告の表示履歴、および、表示対象の広告を示す広告用キーワードのうちの少なくとも１つとを含む。このように構成すれば、複数の自動販売機の各々（各識別番号）に対応した、自動販売機が設置されている場所の情報、自動販売機において販売されている商品の情報、商品の販売履歴、広告表示部において表示された広告の表示履歴、および、表示対象の広告を示す広告用キーワードのうちの少なくとも１つに基づいて、複数の自動販売機の各々において購入者の購買意欲を増加させ易い広告を広告表示部に表示させる制御を行うことができる。
【発明の効果】
【００２５】
本発明によれば、上記のように、広告を広告表示部において表示することにより自動販売機の売り上げを増加させることができる。
【図面の簡単な説明】
【００２６】
【図１】第１〜第３実施形態による自動販売機（自動販売機システム）の構成を示した図である。
【図２】第１〜第３実施形態による自動販売機の商品表示部の通常時における表示を示した図である。
【図３】第１実施形態による自動販売機（自動販売機システム）における広告と広告側キーワードとの関係を示した図である。
【図４】第１実施形態による自動販売機（自動販売機システム）における商品と商品側キーワードとの関係を示した図である。
【図５】第１実施形態による自動販売機におけるレースの広告が表示されている場合の広告表示部および商品表示部を示した図である。
【図６】第１実施形態による自動販売機における田舎の風景の広告が表示されている場合の広告表示部および商品表示部を示した図である。
【図７】第２実施形態による自動販売機における広告から抽出される広告側キーワードを示した図である。
【図８】第３実施形態による自動販売機におけるレースの広告が表示されている場合の広告表示部および商品表示部を示した図である。
【図９】第３実施形態による自動販売機における田舎の風景の広告が表示されている場合の広告表示部および商品表示部を示した図である。
【図１０】第４実施形態による自動販売機システムの構成を示した図である。
【図１１】第４実施形態による自動販売機システムの広告データベースを示した図である。
【図１２】第４実施形態による自動販売機システムの自動販売機データベースを示した図である。
【発明を実施するための形態】
【００２７】
以下、本発明を具体化した実施形態を図面に基づいて説明する。
【００２８】
［第１実施形態］
図１〜図６を参照して、第１実施形態による自動販売機１０（自動販売機システム１００）の構成について説明する。
【００２９】
（自動販売機および自動販売機システムの構成）
図１に示すように、自動販売機システム１００は、自動販売機１０と、広告配信サーバ２０とを備えている。自動販売機１０および広告配信サーバ２０は、ネットワークを介して互いに通信している。なお、広告配信サーバ２０は、特許請求の範囲の「管理センタ」の一例である。
【００３０】
広告配信サーバ２０は、自動販売機１０に対して、自動販売機１０の後述する広告表示部１に表示する広告のデータを送信している。広告配信サーバ２０から送信される広告のデータには、広告を表示する期間、表示する回数、および、表示する時刻などの情報が含まれている。たとえば、広告配信サーバ２０から送信される広告のデータには、８時３０分０秒から８時３０分１５秒まで広告１を表示し、８時３０分１５秒から８時３０分３０秒まで広告２を表示し、８時３０分３０秒から８時３１分１５秒まで広告３を表示することが設定されたタイムテーブルなどが含まれている。なお、広告配信サーバ２０には、広告主から投稿された複数の広告により構成されている広告データベースが設けられている。
【００３１】
自動販売機１０は、広告を画像および文字の少なくとも一方により表示する広告表示部１を備える。広告表示部１では、上記タイムテーブルに従って広告が表示される。なお、広告表示部１は、液晶のディスプレイにより構成されている。
【００３２】
また、自動販売機１０は、複数の商品を画像により表示する商品表示部２を備える。具体的には、商品表示部２は、飲料Ａ、飲料Ｂ、飲料Ｃ、飲料Ｄ、飲料Ｅ、および、飲料Ｆ（図２参照）の画像を表示する。なお、図２では、通常時の商品表示部２の状態を図示している。具体的には、商品表示部２には、飲料Ａ、飲料Ｂ、飲料Ｃ、飲料Ｄ、飲料Ｅ、および、飲料Ｆの各々の画像が４つずつ表示されている。また、飲料Ａ〜Ｆの画像データ（商品のデータ）は、自動販売機１０の図示しないハードディスク等に格納されている。なお、商品表示部２は、液晶のディスプレイにより構成されている。また、商品表示部２は、タッチパネル式のディスプレイである。
【００３３】
ここで、第１実施形態では、広告表示部１は、複数の商品（飲料Ａ〜Ｆ）自体の広告とは異なる広告を表示する。たとえば、広告表示部１には、飲料メーカとは異なる業種の会社の宣伝動画、地域のＰＲ動画、および、地域で催されるイベント等の宣伝動画などが考えられる。
【００３４】
なお、広告表示部１および商品表示部２は、一体的に構成されている。すなわち、広告表示部１および商品表示部２の両方は、共通のディスプレイに設けられている。なお、広告表示部１および商品表示部２が、互いに別個のディスプレイであってもよい。また、ディスプレイが３つ以上に分割されていてもよい。
【００３５】
また、自動販売機１０は、自動販売機１０の動作を制御する制御部３を備える。制御部３の詳細な説明は後述する。
【００３６】
ここで、図３に示すように、広告表示部１に表示される広告のデータには、それぞれに対応する広告側特徴情報（以下、広告側キーワード）が付加されている。この広告側キーワードは、予め、各広告のデータに付加されている。なお、広告側キーワードは、手作業で各広告データに予め付加されており、任意に変更可能である。
【００３７】
たとえば、レースの広告（図３の左側の広告）のデータに対しては、「夏」、「車」、「レース」、および、「白熱」という広告側キーワードが付加されている。また、田舎の風景の広告（図３の右側の広告）のデータに対しては、「田舎」、「自然」、「山」、「川」、および、「水」という広告側キーワードが付加されている。なお、広告のデータは、動画ファイルと、広告側キーワードが記載されたテキストファイルにより構成されている。この場合、広告のデータにおいて、動画ファイルとテキストファイルとが別個に設けられていてもよいし、動画ファイルにテキストファイルが組み込まれていてもよい。
【００３８】
また、図４に示すように、複数の商品の各々のデータには、各商品に対応する商品側特徴情報（商品側キーワード）が付加されている。この商品側キーワードは、予め、各商品のデータに付加されている。なお、商品側キーワードは、手作業で各広告データに予め付加されており、任意に変更可能である。
【００３９】
たとえば、飲料Ａのデータに対しては、「リラックス」および「微糖」という商品側キーワードが付加されている。また、飲料Ｂのデータに対しては、「すっきり」、「炭酸」、「甘い」、「夏」、および、「白熱」という商品側キーワードが付加されている。また、飲料Ｃのデータに対しては、「すっきり」、「炭酸」、「夏」、および、「白熱」という商品側キーワードが付加されている。また、飲料Ｄのデータに対しては、「すっきり」、「渋い」、および、「自然」という商品側キーワードが付加されている。また、飲料Ｅのデータに対しては、「すっきり」および「自然」という商品側キーワードが付加されている。また、飲料Ｆのデータに対しては、「甘い」および「果実」という商品側キーワードが付加されている。
【００４０】
ここで、第１実施形態では、制御部３は、複数の商品のうち、広告に対応する広告側キーワードに関連する商品を、商品表示部２において強調して表示する制御を行う。具体的には、制御部３は、広告表示部１に表示中の広告に対応する広告側キーワードに関連する商品を、商品表示部２において強調して表示する制御を行う。
【００４１】
ここで、広告に対応する広告側キーワードとは、広告のデータに付加された広告側キーワードを意味する。ここで、第１実施形態では、図５に示すように、制御部３は、広告（図５ではレースの広告）のデータに付加された広告側キーワードに関連する商品を、商品表示部２において拡大して表示することにより、商品表示部２において強調して表示するように構成されている。広告のデータに付加された広告側キーワードに関連する商品が飲料Ｂおよび飲料Ｃの場合には、飲料Ｂおよび飲料Ｃの画像が拡大して表示される。具体的には、たとえば、飲料Ｂおよび飲料Ｃの画像は、通常時（図２参照）の２倍の大きさに拡大される。
【００４２】
また、この場合、飲料Ａおよび飲料Ｄ〜Ｆは、通常時と同じ大きさのままで表示されてもよいし、通常時よりも縮小されて表示されてもよい。また、飲料Ｂおよび飲料Ｃは、拡大されて表示される分、通常時よりも表示される数が低減されてもよい。この場合、飲料Ａおよび飲料Ｄ〜Ｆについても、通常時よりも表示される数が低減されてもよい。
【００４３】
ここで、広告のデータに付加された広告側キーワードに関連する商品とは、商品のデータに付加された商品側キーワードの少なくとも一部が、広告側キーワードの少なくとも一部と一致する商品を意味する。すなわち、第１実施形態では、制御部３は、商品のデータに付加された商品側キーワードの少なくとも一部が、広告側キーワードの少なくとも一部と一致する商品を商品表示部２において強調して表示する。具体的には、広告表示部１にレースの広告が表示されている場合は、レースの広告のデータに付加されている広告側キーワード（「夏」、「車」、「レース」、および、「白熱」）の一部と、飲料Ｂの商品側キーワード（「すっきり」、「炭酸」、「甘い」、「夏」、および、「白熱」）の一部、および、飲料Ｃの商品側キーワード（「すっきり」、「炭酸」、「夏」、および、「白熱」）の一部の各々とが一致する（すなわち、「夏」および「白熱」が一致する）ので、飲料Ｂおよび飲料Ｃの画像が拡大して表示される。レースの広告のデータに付加されている広告側キーワードのいずれとも商品側キーワードが一致しない飲料Ａ、および、飲料Ｄ〜Ｆは、拡大されず通常時と同じ大きさで表示される。
【００４４】
また、図６に示すように、広告表示部１に田舎の風景の広告が表示されている場合は、田舎の風景の広告のデータに付加されている広告側キーワード（「田舎」、「自然」、「山」、「川」、および、「水」）の一部と、飲料Ｄの商品側キーワード（「すっきり」、「渋い」、および、「自然」）の一部、および、飲料Ｅの商品側キーワード（「すっきり」および「自然」）の一部の各々とが一致する（すなわち、「自然」が一致する）ので、飲料Ｄおよび飲料Ｅの画像が拡大して表示される。田舎の風景の広告のデータに付加されている広告側キーワードのいずれとも商品側キーワードが一致しない飲料Ａ〜Ｃ、および、飲料Ｆは、拡大されず通常時と同じ大きさで表示される。
【００４５】
また、キーワード毎に重み付けがされていてもよい。たとえば、制御部３は、広告側キーワードと一致する商品側キーワードのうち、重み付けがより大きい方の商品側キーワードが付加されている商品を、商品表示部２においてより大きく表示するようにしてもよい。また、制御部３は、商品のデータに、広告側キーワードと一致する商品側キーワードがより多く付加されている商品を、商品表示部２においてより大きく表示するようにしてもよい。
【００４６】
また、制御部３は、商品のデータに、広告側キーワードと反対の意味を持つ商品側キーワードが付加されている場合に、上記商品を縮小して表示してもよい。たとえば、広告側キーワードが「夏」である場合に、商品のデータに「冬」という商品側キーワードが付加されている商品は、縮小して表示される。
【００４７】
また、第１実施形態では、図５および図６に示すように、制御部３は、広告表示部１に表示されている広告が異なる広告に変化することによって広告表示部１に表示中の広告のデータに付加されている広告側キーワードが変化する度に、商品表示部２において強調して表示する商品を変化させる。すなわち、広告表示部１に表示されている広告が、レースの広告から田舎の風景の広告に変化した場合には、商品表示部２に強調して（拡大して）表示される商品が、飲料Ｂおよび飲料Ｃから、飲料Ｄおよび飲料Ｅに変化する。
【００４８】
また、広告表示部１に表示されている広告のデータに付加されている広告側キーワードと一致する商品側キーワードが付加されている商品が存在しない場合は、商品表示部２では通常時の画像（図２参照）が表示される。また、広告表示部１において広告が表示されていない場合も、商品表示部２では通常時の画像が表示される。
【００４９】
また、広告表示部１に表示されている広告のデータに付加されている広告側キーワードと一致する商品側キーワードが付加されている商品が売り切れ状態である場合には、上記商品の画像は商品表示部２において表示されないように構成されている。また、この場合、上記商品の画像上に売り切れ状態を示すような表示がされていてもよい。なお、この場合は当然、上記商品の画像は拡大表示されない。
【００５０】
［第１実施形態の効果］
第１実施形態では、以下のような効果を得ることができる。
【００５１】
第１実施形態では、上記のように、複数の商品のうち、広告に対応する広告側キーワードに関連する商品を、商品表示部２において強調して表示する制御を行う制御部３を備えるように、自動販売機１０を構成する。これにより、広告表示部１に表示されている広告を見た購入者に対して、上記広告側キーワードに関連する商品をアピールすることができる。その結果、上記購入者の、上記広告側キーワードに関連する商品に対する購買意欲を増大させることができる。これにより、広告を広告表示部１において表示することにより自動販売機１０の売り上げを増加させることができる。
【００５２】
また、第１実施形態では、上記のように、制御部３が、商品に対応する商品側キーワードの少なくとも一部が、広告側キーワードの少なくとも一部と一致する商品を、商品表示部２において強調して表示する制御を行うように、自動販売機１０を構成する。これにより、上記商品側キーワードと広告側キーワードとが完全に一致する場合にのみ商品表示部２において商品が強調して表示される場合に比べて、商品を強調して表示する制御が行われるための条件を緩和することができる。
【００５３】
また、第１実施形態では、上記のように、制御部３が、予め商品のデータに付加された商品側キーワードの少なくとも一部が、広告側キーワードの少なくとも一部と一致する商品を、商品表示部２において強調して表示する制御を行うように、自動販売機１０を構成する。これにより、商品側キーワードが商品のデータに予め付加されていることによって、商品のデータから商品側キーワードを識別して抽出する場合に比べて、制御部３の制御負荷を軽減することができる。
【００５４】
また、第１実施形態では、上記のように、制御部３が、予め商品のデータに付加された商品側キーワードの少なくとも一部が、予め広告のデータに付加された広告側キーワードの少なくとも一部と一致する商品を、商品表示部２において強調して表示する制御を行うように、自動販売機１０を構成する。これにより、広告側キーワードが広告のデータに予め付加されていることによって、広告のデータから広告側キーワードを識別して抽出する場合に比べて、制御部３の制御負荷をより軽減することができる。
【００５５】
また、第１実施形態では、上記のように、広告表示部１が、複数の商品自体の広告とは異なる広告を表示するように、自動販売機１０を構成する。これにより、複数の商品自体とは異なる広告を表示する場合にも、広告に対応する広告側特徴情報に関連する商品が、商品表示部において強調して表示されるので、購入者に対して、広告に対応する広告側特徴情報に関連する商品を効果的にアピールすることができる。
【００５６】
また、第１実施形態では、上記のように、制御部３が、広告表示部１に表示されている広告が異なる広告に変化することによって広告表示部１に表示中の広告に対応する広告側キーワードが変化する度に、商品表示部２において強調して表示する商品を変化させるように、自動販売機１０を構成する。これにより、広告に対応する広告側キーワードに関連する商品を常時強調して表示することができる。
【００５７】
また、第１実施形態では、上記のように、制御部３が、広告に対応する広告側キーワードに関連する商品を、商品表示部２において拡大して表示することにより、商品表示部２において強調して表示する制御を行うように、自動販売機１０を構成する。これにより、広告に対応する広告側キーワードに関連する商品を効果的に強調することができる。
【００５８】
また、第１実施形態では、上記のように、自動販売機１０が、複数の商品のうち、広告に対応する広告側キーワードに関連する商品を、商品表示部２において強調して表示する制御を行うように、自動販売機システム１００を構成する。これにより、広告表示部１に表示されている広告を見た購入者に対して、広告に対応する広告側キーワードに関連する商品をアピールすることができる。その結果、上記購入者の、広告に対応する広告側キーワードに関連する商品に対する購買意欲を増大させることができる。これにより、広告を広告表示部１において表示することにより自動販売機１０の売り上げを増加させることが可能な自動販売機システム１００を提供することができる。
【００５９】
［第２実施形態］
次に、図１および図７を参照して、第２実施形態による自動販売機１１０（自動販売機システム２００）の構成について説明する。第２実施形態の自動販売機１１０（自動販売機システム２００）は、予め広告のデータに付加されていた広告側キーワードを用いて制御を行う上記第１実施形態とは異なり、広告データには予め広告側キーワードは付加されていない。なお、上記第１実施形態と同様の構成は、第１実施形態と同じ符号を付して図示するとともに説明を省略する。
【００６０】
（自動販売機および自動販売機システムの構成）
図１に示すように、自動販売機システム２００は、自動販売機１１０を備えている。自動販売機１１０は、自動販売機１１０の動作を制御する制御部１３を備える。
【００６１】
ここで、第２実施形態では、図７に示すように、制御部１３は、広告の画像および文字の少なくとも一方自体から広告側キーワードを識別するとともに抽出する。そして、制御部１３は、予め商品のデータに付加された商品側キーワードの少なくとも一部が、抽出された広告側キーワードの少なくとも一部と一致する商品を、商品表示部２において強調して表示する制御を行う。たとえば、制御部１３は、レースの広告を解析することによって、広告の画像内において複数の車が走っている様子を検出する。これにより、制御部１３は、広告がレースの広告であることを識別する。また、制御部１３は、田舎の風景の広告を解析することによって、広告の画像内において山および川（水）などが存在していることを検出する。これにより、制御部１３は、広告が田舎の風景の広告であることを識別する。
【００６２】
そして、制御部１３は、識別した広告に基づいて、広告側キーワードを識別して抽出する。たとえば、レースの広告からは、「夏」、「車」、「レース」、および、「白熱」という広告側キーワードを識別するとともに抽出する。また、田舎の風景の広告からは、「田舎」、「自然」、「山」、「川」、および、「水」という広告側キーワードを識別するとともに抽出する。
【００６３】
なお、制御部１３は、広告側キーワードを識別および抽出する度に、識別および抽出の方法（アルゴリズム）を機械学習的に更新するように構成されていてもよい。また、制御部１３は、広告内に表示される文字およびマーク等を検出することによって、広告の種類を識別可能に構成されていてもよい。たとえば、制御部１３は、広告内に表示されている「○○サーキット」という文字を検出することによって、広告がレースの広告であることを識別する。
【００６４】
なお、第２実施形態のその他の構成は、上記第１実施形態と同様である。
【００６５】
（第２実施形態の効果）
第２実施形態では、以下のような効果を得ることができる。
【００６６】
第２実施形態では、上記のように、制御部１３は、広告の画像および文字の少なくとも一方自体から広告側キーワードを識別するとともに抽出する。そして、制御部１３が、予め商品のデータに付加された商品側キーワードの少なくとも一部が、抽出された広告側キーワードの少なくとも一部と一致する商品を、商品表示部２において強調して表示する制御を行うように、自動販売機１１０を構成する。これにより、広告側キーワードが広告のデータに予め付加されている場合と異なり、広告側キーワードを広告のデータに付加する手間がかからないので、広告のデータを作成する作業負担を軽減することができる。
【００６７】
なお、第２実施形態のその他の効果は、上記第１実施形態と同様である。
【００６８】
［第３実施形態］
次に、図１、図８、および、図９を参照して、第３実施形態による自動販売機２１０（自動販売機システム３００）の構成について説明する。第３実施形態の自動販売機２１０（自動販売機システム３００）は、商品を拡大表示して商品を強調する第１実施形態とは異なり、商品が表示される数を増加させて商品を強調する。なお、上記第１実施形態と同様の構成は、第１実施形態と同じ符号を付して図示するとともに説明を省略する。
【００６９】
（自動販売機および自動販売機システムの構成）
図１に示すように、自動販売機システム３００は、自動販売機２１０を備えている。自動販売機２１０は、自動販売機２１０の動作を制御する制御部２３を備える。
【００７０】
ここで、第３実施形態では、図８および図９に示すように、制御部２３は、広告のデータに付加されている広告側キーワードに関連する商品の、商品表示部２に表示される数を増加させることにより、広告側キーワードに関連する商品を商品表示部２において強調して表示する制御を行う。
【００７１】
具体的には、図８に示すように、制御部２３は、広告表示部１においてレースの広告が表示されている場合には、レースの広告のデータに付加されている広告側キーワードに関連する商品である飲料ＢおよびＣの商品の表示されている数を増加させる。図８に示す例では、制御部２３は、飲料ＢおよびＣの表示されている数を４つから６つに増加させる。この場合、制御部２３は、飲料ＡおよびＤの表示されている数を４つから２つに低減するとともに、飲料ＥおよびＦの表示されている数は４つのまま変化させない。なお、商品表示部２における飲料Ａ〜Ｆの表示数は、上記の例に限られない。
【００７２】
また、図９に示すように、制御部２３は、広告表示部１において田舎の風景の広告が表示されている場合には、田舎の風景の広告のデータに付加されている広告側キーワードに関連する商品である飲料ＤおよびＥの商品の表示されている数を増加させる。図９に示す例では、制御部２３は、飲料ＤおよびＥの表示されている数を４つから６つに増加させる。この場合、制御部２３は、飲料ＣおよびＦの表示されている数を４つから２つに低減するとともに、飲料ＡおよびＢの表示されている数は４つのまま変化させない。なお、商品表示部２における飲料Ａ〜Ｆの表示数は、上記の例に限られない。
【００７３】
なお、第３実施形態のその他の構成は、上記第１実施形態と同様である。
【００７４】
（第３実施形態の効果）
第３実施形態では、以下のような効果を得ることができる。
【００７５】
第３実施形態では、上記のように、制御部２３が、広告に対応する広告側キーワードに関連する商品の、商品表示部２に表示される数を増加させることにより、広告側キーワードに関連する商品を商品表示部２において強調して表示する制御を行うように、自動販売機２１０を構成する。これにより、広告に対応する広告側キーワードに関連する商品を、画像の大きさを変化させずに強調することができる。
【００７６】
なお、第３実施形態のその他の効果は、上記第１実施形態と同様である。
【００７７】
［第４実施形態］
次に、図１０〜図１２を参照して、第４実施形態による自動販売機システム４００の構成について説明する。第４実施形態の自動販売機システム４００は、表示される広告に基づいて強調する商品を変化させる第１実施形態とは異なり、自動販売機（３１０、３１１）に対応する自動販売機側情報に応じて送信する広告を決定する制御を行う。なお、上記第１実施形態と同様の構成は、第１実施形態と同じ符号を付して図示するとともに説明を省略する。
【００７８】
（自動販売機システムの構成）
図１０に示すように、自動販売機システム４００は、自動販売機３１０と、自動販売機３１１とを備える。自動販売機３１０および自動販売機３１１の各々は、広告表示部１を含む。なお、自動販売機３１０および自動販売機３１１の各々は、商品選択ボタンがタッチパネル式であっても、押しボタン式であってもよい。また、自動販売機は、２台以上設けられていてもよい。
【００７９】
また、自動販売機システム４００は、広告配信サーバ１２０を備える。自動販売機３１０および自動販売機３１１の各々と、広告配信サーバ１２０とは、ネットワークを介して互いに通信している。なお、広告配信サーバ１２０は、特許請求の範囲の「管理センタ」の一例である。
【００８０】
広告配信サーバ１２０は、自動販売機３１０および自動販売機３１１のそれぞれに対して、自動販売機３１０および自動販売機３１１の広告表示部１に表示する広告のデータを送信（配信）している。なお、広告配信サーバ１２０は、広告主から投稿された複数の広告により構成される広告データベース１２１を含む。複数の広告の各々には、広告主によって、広告側特徴情報として、後述する広告側キーワード、および、複数の広告に対応する分野を示す後述する分野別キーワードが付加されている。すなわち、広告データベース１２１には、複数の広告毎に対応した広告側キーワード、および、複数の分野別キーワードが含まれている。なお、分野別キーワードおよび広告側キーワードの各々は、広告が広告配信サーバ１２０に投稿される前に、広告主によって予め付加されたものである。
【００８１】
たとえば、図１１に示すように、広告データベース１２１では、複数の広告が、「旅行」、「アルバイト」、「金融」、および、「法律」という分野別キーワード毎に仕分けられている。また、「旅行」という分野別キーワードのグループには、「国内旅行」および「海外旅行」という広告側キーワードが付加された広告が含まれている。なお、詳細な説明は省略するが、「アルバイト」、「金融」、および、「法律」という分野別キーワードのグループの各々にも、それぞれに関連する広告側キーワードが付加された複数の広告が含まれている。
【００８２】
また、広告データベース１２１には、分野別キーワードのグループに属さない広告が含まれている。具体的には、広告データベース１２１には、「ゲーム」という広告側キーワードが付加された広告と、「学校」という広告側キーワードが付加された広告とが含まれている。また、図示は省略するが、広告データベース１２１には、上記以外にも分野別キーワードおよび広告側キーワードが付加された広告が含まれている。また、上記の広告データベース１２１の構成は一例であり、これに限られるものではない。
【００８３】
広告配信サーバ１２０は、複数の自動販売機側情報を含む自動販売機データベース１２２を含む。具体的には、自動販売機データベース１２２には、自動販売機３１０および自動販売機３１１の各々に対応した自動販売機側情報が含まれている。
【００８４】
具体的には、自動販売機側情報は、自動販売機３１０および自動販売機３１１の各々に割り当てられた自販機番号を含む。また、自動販売機側情報は、自販機番号毎に管理された、自動販売機（３１０、３１１）が設置されている場所の情報、自動販売機（３１０、３１１）において販売されている商品の情報、商品の販売履歴、広告表示部１において表示された広告の表示履歴、および、表示対象の広告を示す広告用キーワードを含む。なお、自販機番号は、特許請求の範囲の「識別番号」の一例である。
【００８５】
ここで、第４実施形態では、広告配信サーバ１２０は、広告に対応する（付加されている）広告側キーワード（分野別キーワード）と、自動販売機（３１０、３１１）に対応する自動販売機側情報とに基づいて、自動販売機（３１０、３１１）の広告表示部１に表示させる広告を選択する制御を行うように構成されている。すなわち、広告配信サーバ１２０は、広告側キーワード（分野別キーワード）および自動販売機側情報に関する予め設定された所定の条件に基づいて、複数の広告の中から、各自動販売機（３１０、３１１）において表示させる広告を選択するように構成されている。
【００８６】
具体的には、広告配信サーバ１２０は、広告側キーワード（分野別キーワード）と自動販売機側情報との関連性に基づいて、自動販売機（３１０、３１１）の広告表示部１に表示させる広告を選択する制御を行うように構成されている。なお、自動販売機側情報と関連性が高い広告側キーワード（分野別キーワード）が付加されている広告とは、たとえば自動販売機（３１０、３１１）の売り上げを増加させる（購入者の購買意欲を向上させる）広告である。
【００８７】
詳細には、広告配信サーバ１２０は、広告検索手段１２３と、広告配信手段１２４として機能するように構成されている。広告検索手段１２３（広告配信サーバ１２０）は、自動販売機データベース１２２に含まれる自動販売機（３１０、３１１）に対応する自動販売機側情報に基づいて、自動販売機（３１０、３１１）の広告表示部１に表示させる広告を広告データベース１２１から検索する制御を行うように構成されている。この場合、広告検索手段１２３は、自動販売機側情報と、広告に対応する（付加された）広告側キーワード（分野別キーワード）との両方に基づいて、自動販売機（３１０、３１１）の広告表示部１に表示させる広告を検索する。
【００８８】
そして、広告配信手段１２４（広告配信サーバ１２０）は、広告検索手段１２３により検索された広告を、自動販売機（３１０、３１１）に配信する制御を行うように構成されている。なお、広告配信サーバ１２０において、広告検索手段１２３と、広告配信手段１２４との機能は、プログラムなどのソフトウェアにより実現することが可能である。以下に、具体例を挙げて詳細に説明する。なお、自動販売機システム４００の構成（制御）としては以下の具体例に限られるものではない。また、自動販売機３１０および自動販売機３１１に対しては互いに同様の制御が行われるので、自動販売機３１０についてのみ説明を行う。
【００８９】
たとえば、自動販売機３１０が、大学の食堂または売店の近くに設けられているとする。この場合、まず、広告配信サーバ１２０（広告検索手段１２３）は、自販機番号から自動販売機３１０の設置場所を検出する。次に、検出された設置場所に基づいて、広告配信サーバ１２０（広告検索手段１２３）は、広告側キーワード（または分野別キーワード）が大学と関連性のある「文房具」である広告を検索（選択）する。そして、広告配信サーバ１２０（広告配信手段１２４）は、広告側キーワード（または分野別キーワード）が「文房具」である広告を、自動販売機３１０に送信（配信）する。
【００９０】
また、自動販売機３１０が、ショッピングモールに設けられている場合には、広告配信サーバ１２０（広告検索手段１２３）は、広告側キーワード（または分野別キーワード）がショッピングモールと関連性のある「洋服」である広告を検索（選択）する。そして、広告配信サーバ１２０（広告配信手段１２４）は、広告側キーワード（または分野別キーワード）が「洋服」である広告を、自動販売機３１０に送信（配信）する。
【００９１】
また、自動販売機３１０が、病院の受け付けまたは待合室の近くに設けられている場合には、広告配信サーバ１２０（広告検索手段１２３）は、広告側キーワード（または分野別キーワード）が、患者と関連性のある「健康食品」である広告を検索（選択）する。そして、広告配信サーバ１２０（広告配信手段１２４）は、広告側キーワード（または分野別キーワード）が「健康食品」である広告を、自動販売機３１０に送信（配信）する。
【００９２】
また、自動販売機３１０が、自動車教習所に設けられている場合には、広告配信サーバ１２０（広告検索手段１２３）は、広告側キーワード（または分野別キーワード）が自動車教習所と関連性のある「自動車」である広告を検索する。そして、広告配信サーバ１２０（広告配信手段１２４）は、広告側キーワード（または分野別キーワード）が「自動車」である広告を、自動販売機３１０に送信（配信）する。
【００９３】
また、自動販売機３１０は、一の分野別キーワードのグループに属する広告から、特定の広告側キーワードが付加された広告のみを検索するように構成されていてもよい。具体的には、自動販売機３１０は、たとえば「旅行」という分野別キーワードが付加されている複数の広告のうち、「国内旅行」という広告側キーワードが付加されている広告を検索するように構成されていてもよい。
【００９４】
また、自動販売機３１０が、たとえば一の教習所に設けられている場合には、広告配信サーバ１２０（広告検索手段１２３）は、一の教習所とは異なる他の教習所（すなわち競合他社）に関連する広告（他の教習所に対応するキーワードが付加された広告）を自動販売機３１０の広告表示部１に表示させない制御を行うように構成されていてもよい。
【００９５】
また、自動販売機３１０において、お茶の商品数が比較的多いとする。この場合、まず、広告配信サーバ１２０（広告検索手段１２３）は、自販機番号から自動販売機３１０の販売商品を検出する。次に、検出された販売商品に基づいて、広告配信サーバ１２０（広告検索手段１２３）は、広告側キーワード（または分野別キーワード）が「お茶」である広告を検索（選択）する。そして、広告配信サーバ１２０（広告配信手段１２４）は、広告側キーワード（または分野別キーワード）が「お茶」である広告を、自動販売機３１０に送信（配信）する。
【００９６】
また、自動販売機データベース１２２には、自動販売機側情報に含まれる販売履歴としての、自動販売機３１０における、商品の販売日時、販売商品、販売金額、および、投入金額等の情報が格納（記憶）されている。
【００９７】
たとえば、自動販売機３１０において、お茶の売れ行きが良く、水の売れ行きが悪いとする。この場合、広告配信サーバ１２０（広告検索手段１２３）は、自販機番号から自動販売機３１０の商品の販売状況（購入された商品数）を検出する。そして、検出された販売状況に基づいて、広告配信サーバ１２０（広告検索手段１２３）は、広告側キーワード（または分野別キーワード）が「水」である広告を検索して自動販売機３１０に送信（配信）する制御を、たとえば１時間以内に行うように構成されている。また、広告配信サーバ１２０（広告検索手段１２３）は、広告側キーワード（または分野別キーワード）が「お茶」である広告を検索して自動販売機３１０に送信（配信）する制御を、たとえば５時間以上は行わないように構成されている。
【００９８】
また、自動販売機データベース１２２には、自動販売機側情報に含まれる広告表示履歴としての、自動販売機３１０における、広告毎の表示日時の情報が記憶されている。
【００９９】
たとえば、自動販売機３１０において、分野別キーワードが「旅行」である広告が、比較的最近表示されたとする。この場合、広告配信サーバ１２０（広告検索手段１２３）は、自販機番号から自動販売機３１０において最近表示された広告を検出する。次に、検出された広告表示履歴に基づいて、広告配信サーバ１２０（広告検索手段１２３）は、分野別キーワードが「旅行」である広告を、１時間以上は表示させないように構成されている。また、比較的最近表示された広告が、分野別キーワードが「旅行」の広告のうち、広告側キーワードが「国内旅行」である広告であったとする。この場合、上記広告側キーワードが「国内旅行」である広告が１日に３回表示されている場合には、広告配信サーバ１２０（広告検索手段１２３）は、上記広告（「国内旅行」の広告）を次の日まで検索（選択）しないように構成されている。
【０１００】
また、自動販売機３１０に対応する自動販売機側情報の広告用キーワードとして、「ゲーム」というキーワードが設定されているとする。この場合、広告配信サーバ１２０（広告検索手段１２３）は、自販機番号から自動販売機３１０において設定されている広告用キーワードを検出する。次に、検出された広告用キーワードに基づいて、広告配信サーバ１２０（広告検索手段１２３）は、広告側キーワード（または分野別キーワード）が「ゲーム」である、ゲームソフトの広告、コスプレショーの広告、および、ゲーム展示回の広告等を検索するように構成されている。また、この際、設定されている広告用キーワードに対して、検索の対象外とする広告（広告側キーワード、分野別キーワード）（たとえば、犯罪のシーンが表示される広告）が設定されていてもよい。
【０１０１】
（第４実施形態の効果）
第４実施形態では、以下のような効果を得ることができる。
【０１０２】
第４実施形態では、上記のように、広告配信サーバ１２０が、広告に対応する広告側キーワード（分野別キーワード）と、自動販売機（３１０、３１１）に対応する自動販売機側情報とに基づいて、自動販売機（３１０、３１１）の広告表示部１に表示させる広告を選択する制御を行うように、自動販売機システム４００を構成する。これにより、広告側キーワード（分野別キーワード）と自動販売機側情報とに基づいて広告を選択する制御を行うことにより、自動販売機（３１０、３１１）の広告表示部１に表示させる広告をランダムに選択する制御が行われる場合に比べて、購入者の購買意欲を増加させ易い広告を広告表示部１に表示させる制御を容易に行うことができる。その結果、広告を広告表示部１において表示することにより自動販売機（３１０、３１１）の売り上げを増加させることが可能な自動販売機システム４００を提供することができる。
【０１０３】
また、広告を投稿した広告主の意図した自動販売機（３１０、３１１）において広告を表示させることができる。また、自動販売機（３１０、３１１）の売り上げを減少させるような広告（たとえば競合他者の広告）が表示されるのを抑制することができる。
【０１０４】
また、広告側キーワードおよび分野別キーワードを用いることによって、広告を選択する際にキーワード検索を行うことができる。その結果、広告を選択する制御を容易に行うことができる。
【０１０５】
また、第４実施形態では、上記のように、広告配信サーバ１２０が、自動販売機データベース１２２に含まれる一の自動販売機（３１０または３１１）に対応する自動販売機側情報に基づいて、一の自動販売機（３１０または３１１）の広告表示部１に表示させる広告を広告データベース１２１から検索するとともに、検索された広告を、一の自動販売機（３１０または３１１）に送信する制御を行うように、自動販売機システム４００を構成する。これにより、広告配信サーバ１２０は、自動販売機（３１０、３１１）に対応する自動販売機側情報に基づいて、一の自動販売機（３１０または３１１）において購入者の購買意欲を向上させる広告を広告データベース１２１から検索する制御を行うことができる。その結果、検索された広告を一の自動販売機（３１０または３１１）に配信することによって、一の自動販売機（３１０または３１１）の売り上げを増加させることができる。また、広告配信サーバ１２０において検索および配信の処理が行われることにより、自動販売機（３１０または３１１）の制御負担が増加するのを抑制することができる。
【０１０６】
また、第４実施形態では、上記のように、広告配信サーバ１２０は、広告側キーワード（分野別キーワード）と自動販売機側情報との関連性に基づいて、自動販売機（３１０、３１１）の広告表示部１に表示させる広告を選択する制御を行うように、自動販売機システム４００を構成する。これにより、広告側キーワード（分野別キーワード）と自動販売機側情報との関連性に基づいて広告を選択する制御を行うことにより、自動販売機側情報と関連性の高い広告を広告表示部１において表示することができるとともに、自動販売機側情報と関連性の低い広告を広告表示部１において表示させないようにすることができる。
【０１０７】
また、第４実施形態では、上記のように、自動販売機側情報が、複数の自動販売機（３１０、３１１）の各々に割り当てられた識別番号と、識別番号毎に管理された、自動販売機（３１０、３１１）が設置されている場所の情報、自動販売機（３１０、３１１）において販売されている商品の情報、商品の販売履歴、広告表示部１において表示された広告の表示履歴、および、表示対象の広告を示す広告用キーワードとを含むように、自動販売機システム４００を構成する。これにより、複数の自動販売機（３１０、３１１）の各々（各識別番号）に対応した、自動販売機（３１０、３１１）が設置されている場所の情報、自動販売機（３１０、３１１）において販売されている商品の情報、商品の販売履歴、広告表示部１において表示された広告の表示履歴、および、表示対象の広告を示す広告用キーワードに基づいて、複数の自動販売機（３１０、３１１）の各々において購入者の購買意欲を増加させ易い広告を広告表示部１に表示させる制御を行うことができる。
【０１０８】
なお、第４実施形態のその他の効果は、上記第１実施形態と同様である。
【０１０９】
[変形例]
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更（変形例）が含まれる。
【０１１０】
たとえば、上記第１〜第３実施形態では、商品側キーワードの少なくとも一部が、広告側キーワードの少なくとも一部と一致する商品を、商品表示部２において強調して表示する例を示したが、本発明はこれに限られない。たとえば、商品側キーワードが広告側キーワードと完全に一致する商品のみを拡大して表示してもよい。
【０１１１】
また、上記第１〜第３実施形態では、広告表示部１には複数の商品自体の広告とは異なる広告が表示される例を示したが、本発明はこれに限られない。たとえば、広告表示部１には複数の商品自体の広告が表示されてもよい。
【０１１２】
また、上記第１および第３実施形態では、商品を拡大して表示することにより商品を強調して表示し、上記第２実施形態では、表示される商品の数を多くすることにより商品を強調して表示する例を示したが、本発明はこれに限られない。たとえば、強調する商品を、購入者の目線に合わせるために商品表示部２内の上側の領域に表示することによって、商品を強調して表示してもよい。また、強調する商品の周りを、ＬＥＤランプ等により点滅（点灯）させて表示することにより、商品を強調してもよい。
【０１１３】
また、上記第１〜第３実施形態では、広告配信サーバ２０（管理センタ）から広告が配信される例を示したが、本発明はこれに限られない。たとえば、自動販売機１０（１１０、２１０）内のハードディスクに、広告のデータベースおよび広告の表示スケジュールが格納（記憶）されていてもよい。
【０１１４】
また、上記第１〜第３実施形態では、商品表示部２は、タッチパネル式である例を示したが、本発明はこれに限られない。商品が画像により表示されていれば、タッチパネル式でなくてもよい。
【０１１５】
上記第２実施形態では、広告側キーワードは広告のデータに予め付加されておらず、広告の画像および文字の少なくとも一方自体から広告側キーワードが識別されるとともに抽出される例を示したが、本発明はこれに限られない。広告側キーワードが広告のデータに予め付加されている場合でも、広告の画像および文字の少なくとも一方自体から広告側キーワードが識別されるとともに抽出されてもよい。
【０１１６】
また、上記第１〜第３実施形態では、商品が飲料である例を示したが、本発明はこれに限られない。商品は飲料以外であってもよい。
【０１１７】
また、上記第１〜第３実施形態では、自動販売機１０（１１０、２１０）の制御部３（１３、２３）によって、商品が強調して表示される制御が行われる例を示したが、本発明はこれに限られない。たとえば、広告配信サーバ２０（管理センタ）が、複数の商品のうち、広告に対応する広告側キーワード（広告側特徴情報）に関連する商品を、商品表示部２において強調して表示する制御を行ってもよい。この場合、広告配信サーバ２０（管理センタ）は、自動販売機１０（１１０、２１０）の商品のデータを有していることが必要となる。
【０１１８】
また、上記第４実施形態では、広告配信サーバ１２０（管理センタ）が、自動販売機（３１０、３１１）の広告表示部１に表示させる広告を選択する制御を行う例を示したが、本発明はこれに限られない。たとえば、広告配信サーバ１２０（管理センタ）は、広告側キーワード（分野別キーワード）と自動販売機側情報とに基づいて、広告を広告表示部１に表示させる自動販売機（３１０、３１１）を選択する制御を行ってもよい。
【０１１９】
また、上記第４実施形態では、広告配信サーバ１２０（管理センタ）が、広告側キーワード（分野別キーワード）と自動販売機側情報とに基づいて、自動販売機（３１０、３１１）の広告表示部１に表示させる広告を選択する制御を行う例を示したが、本発明はこれに限られない。たとえば、自動販売機（３１０、３１１）が、広告側キーワード（分野別キーワード）と自身の自動販売機側情報とに基づいて、広告表示部１に表示させる広告を選択する制御を行ってもよい。この場合、自動販売機（３１０、３１１）内に、広告のデータ（広告データベース）および広告検索手段が設けられている。
【０１２０】
また、上記第４実施形態では、広告配信サーバ１２０（管理センタ）は、広告側キーワード（分野別キーワード）と自動販売機側情報との関連性に基づいて制御を行う例を示したが、本発明はこれに限られない。たとえば、広告側キーワード（分野別キーワード）と、広告用キーワードとが合致するか否かに基づいて制御が行われてもよい。また、広告用キーワードとは別に、各自動販売機（３１０、３１１）に、自動販売機側キーワードを設定して、自動販売機側キーワードと広告側キーワード（分野別キーワード）とに基づいて制御が行われてもよい。
【０１２１】
また、上記第４実施形態では、広告配信サーバ１２０（管理センタ）は、広告側キーワードおよび分野別キーワードの両方と、自動販売機側情報とに基づいて制御を行う例を示したが、本発明はこれに限られない。たとえば、広告側キーワードおよび分野別キーワードのうちの一方と、自動販売機側情報とに基づいて制御を行ってもよい。
【０１２２】
また、上記第４実施形態では、広告側キーワードおよび分野別キーワードが、予め広告主によって付加されている例を示したが、本発明はこれに限られない。たとえば、広告配信サーバ１２０（管理センタ）において、各広告の画像情報および文字情報等から、広告側キーワードおよび分野別キーワードが抽出されるように構成されていてもよい。
【０１２３】
また、上記第４実施形態における制御と、上記第１〜第３実施形態における制御とを組み合わせてもよい。
【０１２４】
また、上記第４実施形態では、自動販売機側情報が、自動販売機（３１０、３１１）が設置されている場所の情報、自動販売機（３１０、３１１）において販売されている商品の情報、商品の販売履歴、広告表示部１において表示された広告の表示履歴、および、表示対象の広告を示す広告用キーワードを含む例を示したが、本発明はこれに限られない。たとえば、自動販売機側情報が、上記情報のうちの１つ以上を含んでいれば、全てを含んでいなくてもよい。
【符号の説明】
【０１２５】
１  広告表示部
２  商品表示部
３、１３、２３  制御部
１０、１１０、２１０、３１０、３１１  自動販売機
２０、１２０  広告配信サーバ（管理センタ）
１００、２００、３００、４００  自動販売機システム
１２１  広告データベース
１２２  自動販売機データベース
【図１】
2020095522.tif 000003
【図２】
2020095522.tif 000004
【図３】
2020095522.tif 000005
【図４】
2020095522.tif 000006
【図５】
2020095522.tif 000007
【図６】
2020095522.tif 000008
【図７】
2020095522.tif 000009
【図８】
2020095522.tif 000010
【図９】
2020095522.tif 000011
【図１０】
2020095522.tif 000012
【図１１】
2020095522.tif 000013
【図１２】
2020095522.tif 000014